(57)【要約】【課題】発光ユニットの外装自体の導電性の有無に拘わらず、発光部に印加された静電気を撮像装置の本体のグランドに落とす。【解決手段】カメラ本体１００には、閃光ユニット１０３が取り付けられている。閃光ユニット１０３において、閃光ユニット保持部材１２０は、閃光光学部品１２２、導電性バネである弾性部材２０２等を保持する。閃光光学部品１２２を発光面の正面から見た外周の略全周に亘って、金属板である発光部導電体２０４が配設される。発光部導電体２０４の接続部２０４ａが、金属板である中継導電体２０５の発光部側接続部２０５ａと電気的に接続されている。発光部導電体２０４は、弾性部材２０２、中継導電体２０５、回転軸部材２０１のビス部１３４、金属固定部材３００、実装フレキシブル基板３０２によってカメラ本体１００のグランドに電気的に接続され、静電気が流れるようになっている。【選択図】図４
2013142788.tif 000002
【特許請求の範囲】
【請求項１】
発光ユニットを備える撮像装置であって、
発光部と、
前記発光部の周囲の略全周に亘って配設される第１の導電部材と、
前記第１の導電部材を前記撮像装置の本体のグランドに電気的に接続するための接続部材とを有することを特徴とする撮像装置。
【請求項２】
前記発光ユニットは、前記本体に対して回転軸を中心として回動して使用位置と収納位置とに姿勢を変化させることが可能に構成され、前記接続部材には、前記発光ユニットを前記収納位置から前記使用位置の方向に付勢するための導電性のある弾性部材が含まれることを特徴とする請求項１記載の撮像装置。
【請求項３】
前記接続部材には、前記弾性部材と前記第１の導電部材とに接触して両者を電気的に接続する第２の導電部材が含まれることを特徴とする請求項２記載の撮像装置。
【請求項４】
前記第２の導電部材は弾性を有し、前記弾性部材と前記第１の導電部材とに弾性的に接触することを特徴とする請求項３記載の撮像装置。
【請求項５】
前記弾性部材から付勢力を受ける被駆動部を有し、前記弾性部材の、前記被駆動部を駆動する位置よりも前記回転軸から遠い側の部分が前記第１の導電部材に弾性的に接触することを特徴とする請求項２記載の撮像装置。
【発明の詳細な説明】
【技術分野】
【０００１】
本発明は、撮像時に発光する発光ユニットを備えた撮像装置に関する。
【背景技術】
【０００２】
従来、撮像装置には、撮像時に発光する閃光ユニットが設けられたものがある。従来、閃光ユニットの発光部に印加される静電気の対策として、閃光ユニットのＸｅ（キセノン）管周辺やトリガコイル周辺に絶縁接着剤を塗布したり、導電体である反射笠までの距離を離すように光学部品を大きくしたりする等の対策がなされる。
【０００３】
また、特許文献１では、閃光ユニットの発光部を覆う導電性外装部材を備える閃光ユニット装置に対する静電気対策として、導電性外装部材とカメラのグランドとを電気的に接続する構成が開示されている。
【先行技術文献】
【特許文献】
【０００４】
【特許文献１】特開２００５−１８１８８８号公報
【特許文献２】特開２００２−１９６３９８号公報
【発明の概要】
【発明が解決しようとする課題】
【０００５】
しかしながら、特許文献１に開示された技術では、導電性外装部材を用いないような閃光ユニットにおいては、発光部に印加された静電気を確実にグランドに落とすことができない。
【０００６】
ところで、特許文献２では、ポップアップ機構を備えた閃光ユニットにおいて、ポップアップ用バネを基板と直接接続し、ポップアップ用バネに電気接続機能を兼ねさせる構成が開示されている。しかし、発光部と基板とを弾性部材で直接繋ぐ必要があるため、基板の配置が制約される。
【０００７】
本発明は上記従来技術の問題を解決するためになされたものであり、その目的は、発光ユニットの外装自体の導電性の有無に拘わらず、発光部に印加された静電気を撮像装置の本体のグランドに落とすことができる撮像装置を提供することにある。
【課題を解決するための手段】
【０００８】
上記目的を達成するために本発明は、発光ユニットを備える撮像装置であって、発光部と、前記発光部の周囲の略全周に亘って配設される第１の導電部材と、前記第１の導電部材を前記撮像装置の本体のグランドに電気的に接続するための接続部材とを有することを特徴とする。
【発明の効果】
【０００９】
本発明によれば、発光ユニットの外装自体の導電性の有無に拘わらず、発光部に印加された静電気を撮像装置の本体のグランドに落とすことができる。
【図面の簡単な説明】
【００１０】
【図１】本発明の第１の実施の形態に係る撮像装置としてのデジタル一眼レフカメラの斜視図である。
【図２】カメラ本体において外装部材を取り外した状態の閃光ユニット及びその周辺の斜視図である。
【図３】カメラ本体の機能構成を示すブロック図である。
【図４】閃光光学部品及びその周辺要素の斜視図（図（ａ））、外装部材を取り外した状態の閃光ユニットの部分斜視図（図（ｂ））である。
【図５】外装部材に中継導電体を併せて示す裏側からの斜視図（図（ａ））、上側外装部材に部品が組みつけられた状態をカメラ内側から見た状態を示す斜視図（図（ｂ））である。
【図６】本発明の第２の実施の形態の撮像装置における、外装部材を取り外した状態の閃光ユニットの斜視図である。
【発明を実施するための形態】
【００１１】
以下、本発明の実施の形態を図面を参照して説明する。
【００１２】
（第１の実施の形態）
以下、本発明の第１の実施の形態に係る撮像装置を説明する。以下、撮像装置としてデジタル一眼レフカメラを例にとって説明するが、これに限定されず、コンパクトデジタルカメラ、あるいはフィルムを用いるカメラであってもよい。
【００１３】
図１（ａ）、（ｂ）は、デジタル一眼レフカメラの斜視図である。このデジタル一眼レフカメラのカメラ本体１００には、閃光ユニット１０３が取り付けられている。閃光ユニット１０３はポップアップ式の発光ユニットであり、図１（ｂ）に示す使用位置と図１（ａ）に示す収納位置とに姿勢を変化させることが可能に構成される。閃光ユニット１０３は、閃光ユニット外装部材１２１（以下、「外装部材１２１」と略記する）を備える。
【００１４】
図２は、カメラ本体１００において外装部材１２１を取り外した状態の閃光ユニット１０３及びその周辺の斜視図である。図３は、カメラ本体１００の機能構成を示すブロック図である。
【００１５】
図１（ａ）、（ｂ）に示すように、閃光ユニット１０３において、閃光ユニット保持部材１２０を上側から覆うように外装部材１２１が配置される。図２に示すように、閃光ユニット保持部材１２０は、発光部である閃光光学部品１２２（図１（ｂ））、金属製の導電性バネである弾性部材２０２等を保持する。カメラ本体１００には、鉤型の係止部材１２３が設けられる。係止部材１２３は、係止位置から退避位置まで前後方向に可動する。閃光ユニット保持部材１２０は、収納位置では係止部材１２３により係止されている。
【００１６】
カメラ本体１００の上側外装部材１０１に設けられた主電源スイッチ１０７がＯＮ位置へ操作されると、カメラマイコン１０（図３）は所定のシーケンスによりカメラを起動する。通常、電源がＯＦＦの状態では閃光ユニット１０３は収納位置に保持されている。
【００１７】
カメラマイコン１０は、図３に示す操作検出回路１２により操作部材の操作を検出すると、対応する設定を行う。例えば、撮影モードダイヤル１０８が操作され撮影モードが選択されると、選択された撮影モードに対応したシャッタスピードと絞りとの組み合わせを決定するプログラム線図を設定する。また電子ダイヤル１０５が操作されると、露出補正等の設定を行う。ＩＳＯ感度設定ボタン１０６が操作されると、ＩＳＯ感度条件を設定する。
【００１８】
撮影モードダイヤル１０８で自動設定モードが選択された場合における、閃光ユニット１０３が発光する場合の一連の撮影動作を述べる。操作検出回路１２によりレリーズボタン１０４が第１の位置まで押し込まれたことが検知されると、カメラマイコン１０は撮影条件制御回路１３を駆動する。そして、適切なシャッタスピードと絞り値とを決定するために、ファインダ近辺に設けられた不図示の測光センサにより被写体光を測光する。
【００１９】
そして得られた測光結果から被写体光が所定の輝度よりも低いと判断されると、カメラマイコン１０はモータ制御回路１４を駆動し、閃光ユニット１０３を使用位置（発光位置）まで移動させるべく不図示のモータを駆動する。これにより、係止部材１２３が係止位置から退避位置まで移動し、閃光ユニット１０３は使用位置に変位する。
【００２０】
図４（ａ）は、閃光光学部品１２２及びその周辺要素の斜視図である。図４（ｂ）は、外装部材１２１を取り外した状態の閃光ユニット１０３の部分斜視図である。
【００２１】
閃光ユニット保持部材１２０には、閃光ユニット１０３をカメラ本体１００の上側外装部材１０１に対して回動させ、閃光ユニット１０３を収納位置から使用位置に変位させるポップアップ機構が設けられている。
【００２２】
図４（ｂ）に示すように、このポップアップ機構は、いずれも導電性がある金属製の回転軸部材２０１及びビス部（回転軸）１３４のほか、上記した弾性部材２０２、被駆動部１３３等を含んでいる。ビス部１３４は回転軸部材２０１から固定的に突設されている。ビス部１３４が上側外装部材１０１のビス穴３０１（図５（ｂ）参照）に対して固定されることで、回転軸部材２０１が上側外装部材１０１に固定状態となっている。
【００２３】
回転軸部材２０１は閃光ユニット保持部材１２０の内部に位置する。回転軸部材２０１及びビス部１３４は、閃光ユニット保持部材１２０に摺動可能に保持される。回転軸部材２０１には、弾性部材２０２が取り付けられ、互いに電気的に接続された状態となっている。回転軸部材２０１と弾性部材２０２とは弾性部材２０２の付勢力により常に接触した状態となっている。
【００２４】
弾性部材２０２の先端は上方に屈曲した屈曲部２０２ａとなっていて、この屈曲部２０２ａが、被駆動部１３３に係止されている。この係止状態が、閃光ユニット１０３が収納位置と使用位置との間を移動する全工程において維持されるよう、弾性部材２０２を予め撓ませてある。従って、弾性部材２０２の弾性により、屈曲部２０２ａ付近の部分が駆動部（作用点）となって被駆動部１３３を常に上方に付勢する。これにより、上側外装部材１０１に対して相対的に、閃光ユニット１０３が使用位置の回動方向へ常に付勢される。
【００２５】
ポップアップ機構がこのような構成であるので、係止部材１２３（図２）が係止位置から退避すると、弾性部材２０２の弾性力により、閃光ユニット１０３はビス部１３４を回転中心とする回動運動により収納位置から使用位置まで変位する。使用位置では、光学面を有する閃光光学部品１２２が被写体に所定の向きで対向する（図１（ｂ））。
【００２６】
図３に示す操作検出回路１２によりレリーズボタン１０４が第１の位置より深い第２の位置まで押し込まれたことが検知されると、不図示の撮像素子に被写体光が到達するように、カメラマイコン１０はモータ制御回路１４を駆動する。すなわち、ミラーユニットを所定の位置に退避させ、シャッタを開放し（いずれも図示せず）、閃光制御回路１１を駆動してＸｅ管２０７を所定のタイミングで発光させ、被写体に適切な光を照射させる。
【００２７】
Ｘｅ管２０７の発光後、カメラマイコン１０は、所定の時間でシャッタを遮光状態とする。撮像素子に被写体光が到達した状態でカメラマイコン１０は撮像素子駆動回路１５を駆動し、光電変換により被写体光を電子データとして取得する。取得された電子データはデータ処理回路１６により所定の増幅、変換、補正等のデータ処理を施され、撮影画像データとなる。
【００２８】
カメラマイコン１０は、記録処理回路１７を駆動することで、得られた撮影画像データを不図示のメモリに記録する。撮影者が不図示の画像再生ボタンを操作すると、カメラマイコン１０は再生処理回路１８を駆動し、カメラ本体１００の背面側に設けられた不図示の表示装置に、メモリに保存されている撮影画像を表示させる。
【００２９】
なお、これまでは撮影モードダイヤル１０８で自動設定モードが選択された場合を述べた。しかし、他のモードが選択された状態で、閃光ユニット・アップボタン１０２（図１）が操作され閃光ユニット１０３が使用位置に位置した状態であっても、露光動作は同じであり、本発明に限定を与えるものではない。
【００３０】
閃光光学部品１２２は閃光ユニット保持部材１２０に接着固定されているが、部品公差を考慮して両者間には微小な隙間が設定されている。また、閃光光学部品１２２は外装部材１２１に対しても部品公差を考慮して微小な隙間が設定されている。これら微小な隙間があるため、閃光光学部品１２２に静電気が印加された場合にその静電気が上記隙間を通り閃光ユニット１０３の内部に到達してしまうことがある。
【００３１】
閃光ユニット１０３の内部に侵入した静電気が、反射笠２０３に隣接するＸｅ管２０７（図２）のリード線やトリガコイル２０６（図２）のリード線に流れると、リード線接続先の基板に実装された電気素子の破壊やカメラ誤作動が発生するおそれがある。これの対策として、従来であれば、閃光光学部品１２２の壁部１２２ａ（図４（ａ））を高くすることで静電気の回路への侵入を防止していた。
【００３２】
これに対し本実施の形態では、図４（ａ）に示すように、金属板である発光部導電体（第１の導電部材）２０４を閃光光学部品１２２の周囲に略全周配置している。すなわち、閃光光学部品１２２を発光面の正面から見た外周の略全周に亘って発光部導電体２０４を配設する。
【００３３】
図４（ａ）、（ｂ）に示すように、発光部導電体２０４の端部には接続部２０４ａが一体に設けられている。接続部２０４ａは、導電性及び弾性のある金属板である中継導電体（第２の導電部材）２０５の発光部側接続部２０５ａと接触して電気的に接続されるようになっている。中継導電体２０５は、弾性部材２０２と共に、発光部導電体２０４をカメラ本体１００のグランドに接続するための接続部材として機能するが、中継導電体２０５の詳細な構成及び電気的な接続については後述する。
【００３４】
なお、発光部導電体２０４は、接続部２０４ａに繋がっていればよい。従って例えば、その形状は閃光光学部品１２２の周囲を囲む完全な環状（ロ字状）でなくてもよく、一部が切れたコ字状等であってもよい。
【００３５】
中継導電体２０５の構成を説明する。図４（ｂ）に示すように、閃光ユニット保持部材１２０からは、中継導電体２０５を接触させる第１のダボ１３１、及び、中継導電体２０５の位置を決める第２のダボ１３２が突設されている。これら第１のダボ１３１、第２のダボ１３２は、これらより太い根本部分から上方に突出しており、各根本部分と第１のダボ１３１、第２のダボ１３２との間にそれぞれ段差面が形成されている（図示せず）。これらの段差面が台座となって、中継導電体２０５を受けている。中継導電体２０５には、ダボ１３１、１３２に対応する穴が形成されている。
【００３６】
第２のダボ１３２が中継導電体２０５の対応する穴を貫通することにより中継導電体２０５が位置決めされると共に、第１のダボ１３１が中継導電体２０５の対応する穴に嵌合される。
【００３７】
中継導電体２０５は、弾性部材２０２のほぼ延長方向に延設され、閃光光学部品１２２に近い側の端部が発光部側接続部２０５ａである。発光部側接続部２０５ａから、腕部２０５ｂ、被支持部２０５ｃが回転軸部材２０１の方向に延出し、回転軸部材２０１に近い側の端部である回転軸側接続部２０５ｄが被駆動部１３３付近に位置する。回転軸側接続部２０５ｄは、被駆動部１３３よりも回転軸部材２０１に近い位置で下方に折曲形成された折り曲げ部２０５ｄ１を有している。
【００３８】
折り曲げ部２０５ｄ１の弾性によって、弾性部材２０２が常に付勢される。さらに、弾性部材２０２の屈曲部２０２ａが被駆動部１３３の鉤状部分に係止されている。これらにより、中継導電体２０５と弾性部材２０２との弾性的な接触が常時維持されると共に、弾性部材２０２は折り曲げ部２０５ｄ１による付勢を受けても被駆動部１３３から外れることがない。
【００３９】
発光部導電体２０４、中継導電体２０５を金属薄板であるとしたが、これに限定されるものではなく、導電性と弾性を有する部材であればよい。
【００４０】
図５(ａ)は、外装部材１２１に中継導電体２０５を併せて示す裏側からの斜視図である。図４(ｂ)、図５(ａ)を用いて中継導電体２０５の保持の態様について説明する。
【００４１】
図５（ａ）に示すように、外装部材１２１には嵌合リブ１２１ａと抜け防止リブ１２１ｂとが設けられている。一方、閃光ユニット保持部材１２０には嵌合溝Ｃが設けられている（図４（ｂ））。閃光ユニット保持部材１２０に外装部材１２１を取り付けたとき、嵌合リブ１２１ａが嵌合溝Ｃに嵌合され、これにより、閃光ユニット保持部材１２０と外装部材１２１との位置が規制される。
【００４２】
また、嵌合リブ１２１ａの先端は、中継導電体２０５の腕部２０５ｂと干渉するように長さが設定されている。閃光ユニット保持部材１２０に外装部材１２１を取り付けたとき、嵌合リブ１２１ａが腕部２０５ｂを押圧し、腕部２０５ｂが押し下げられる。それによって、発光部側接続部２０５ａも押し下げられ、発光部導電体２０４の接続部２０４ａに対して発光部側接続部２０５ａが押し付けられる。このように、発光部側接続部２０５ａが接続部２０４ａに弾性的に接触することで、発光部導電体２０４と中継導電体２０５とが常時安定的に、電気的に接続される。
【００４３】
抜け防止リブ１２１ｂは、中継導電体２０５の被支持部２０５ｃに対向し且つ、閃光ユニット保持部材１２０の第１のダボ１３１の近辺に対応する位置に設けられる。閃光ユニット保持部材１２０に外装部材１２１を取り付けたときの抜け防止リブ１２１ｂの先端位置は、第１のダボ１３１の先端位置よりも被支持部２０５ｃに対して近い。すなわち、第１のダボ１３１と抜け防止リブ１２１ｂとはオーバーラップする。これにより、外装部材１２１を閃光ユニット保持部材１２０に固定した後には、中継導電体２０５が第１のダボ１３１から抜けることが防止され、閃光ユニット保持部材１２０から脱落しない。
【００４４】
かかる構成において、閃光光学部品１２２と閃光ユニット保持部材１２０及び外装部材１２１との隙間から侵入した静電気がどのようにカメラ本体１００のグランドに流れていくかを説明する。
【００４５】
閃光光学部品１２２と閃光ユニット保持部材１２０、あるいは閃光光学部品１２２と外装部材１２１との各隙間から侵入した静電気は、隙間から最も近い導体である発光部導電体２０４へ流れる。そして、発光部導電体２０４の接続部２０４ａを通じて発光部側接続部２０５ａから中継導電体２０５へ流れる。中継導電体２０５に流れた静電気は、回転軸側接続部２０５ｄを通じて弾性部材２０２へ流れる。弾性部材２０２に流れた静電気は、回転軸部材２０１へ流れる。
【００４６】
図５(ｂ)は、上側外装部材１０１に部品が組みつけられた状態をカメラ内側から見た状態を示す斜視図である。回転軸部材２０１に流れた静電気の、カメラ本体１００のグランドへの流れを述べる。
【００４７】
上側外装部材１０１には、外部ストロボが装着される外部ストロボ固定部材１０９（図１、図２）を取り付けるための金属固定部材３００が配置されている。実装フレキシブル基板３０２を上側外装部材１０１と金属固定部材３００とで上下方向に挟み込むことで金属固定部材３００がグランドと接続されている。
【００４８】
上側外装部材１０１に設けられた回転軸部材２０１用のビス穴３０１は、カメラ内部まで貫通したビス穴である。回転軸部材２０１のビス部１３４の先端は、ビス穴３０１内において金属固定部材３００の近傍に位置する。従って、回転軸部材２０１に流れた高電圧の静電気は回転軸部材２０１のビス部１３４の先端から金属固定部材３００へ流れる。金属固定部材３００に流れた静電気は、実装フレキシブル基板３０２を介してグランドへ流れていく。
【００４９】
このように、発光部導電体２０４は、弾性部材２０２、中継導電体２０５、回転軸部材２０１（のビス部１３４）、金属固定部材３００、実装フレキシブル基板３０２によってカメラ本体１００のグランドに電気的に接続され、静電気が流れるようになっている。これにより、閃光光学部品１２２と閃光ユニット保持部材１２０及び外装部材１２１との隙間から侵入した静電気がカメラ本体１００のグランドに落とされる。
【００５０】
上記した「カメラ本体１００のグランド」は、電気素子を実装した実装部材以外のグランドを指す。上側外装部材１０１が導電部材（金属、導電樹脂）で構成される場合は、上側外装部材１０１自体がカメラ本体１００のグランドとなり、回転軸部材２０１に流れた静電気はビス部１３４から当該グランドへ流れる。
【００５１】
上述したように、印加された静電気は、電気素子が配置された実装部材に流れる前に、金属固定部材３００や上側外装部材１０１に流れる。
【００５２】
本実施の形態によれば、閃光光学部品１２２の周囲の略全周に亘って配設される発光部導電体２０４を、弾性部材２０２、中継導電体２０５等を接続部材としてカメラ本体１００のグランドに電気的に接続した。これにより、閃光ユニット１０３の外装自体の導電性の有無に拘わらず、閃光光学部品１２２に印加された静電気をカメラ本体１００のグランドに落とすことができる。閃光光学部品１２２を特別に大きく構成する必要もない。
【００５３】
また、ポップアップ用バネである弾性部材２０２に電気接続機能を兼ねさせたので、部品点数の増加を抑制することができる。しかも、弾性部材２０２は、電気素子を実装した実装部材に直接接続するのではなく、回転軸部材２０１のビス部１３４を介して接続するので、基板のレイアウトが制約されることが無い。従って、発光回路基板の設計の自由度が増す。
【００５４】
また、折り曲げ部２０５ｄ１がその弾性によって弾性部材２０２と接触すると共に、嵌合リブ１２１ａによって発光部側接続部２０５ａと接続部２０４ａとが接触する。これにより、中継導電体２０５が弾性部材２０２と発光部導電体２０４とに双方に対して弾性的に接触するので、導通状態が安定して確保され、静電気を確実にグランドに落とすことができる。
【００５５】
（第２の実施の形態）
第１の実施の形態では、発光部導電体２０４をカメラ本体１００のグランドに電気的に接続する接続部材として、弾性部材２０２及び中継導電体２０５を例示した。本発明の第２の実施の形態では、第１の実施の形態に対して、中継導電体２０５を廃止すると共に、弾性部材２０２に代えて弾性部材４００（図６）を設ける。
【００５６】
図６は、本発明の第２の実施の形態の撮像装置における、外装部材１２１を取り外した状態の閃光ユニット１０３の斜視図である。カメラとしての動作や基本構成については第１の実施の形態と同一であるのでその説明を省略する。
【００５７】
弾性部材４００は、弾性部材２０２と同じ材料で構成され、回転軸部材２０１に近い側から順に第１の延設部４００ａ、屈曲部４００ｂ、第２の延設部４００ｃ、接続部４００ｄを有して一体に形成される。第１の延設部４００ａと屈曲部４００ｂの途中までの形状は弾性部材２０２と同じである。
【００５８】
屈曲部２０２ａと同様に、屈曲部４００ｂが被駆動部１３３に係止されている。この係止状態が、閃光ユニット１０３が収納位置と使用位置との間を移動する全工程において維持されるよう、第１の延設部４００ａを予め撓ませてある。従って、第１の延設部４００ａの弾性により、屈曲部４００ｂ付近の部分が駆動部（作用点）となって被駆動部１３３を常に上方に付勢する。これにより、上側外装部材１０１に対して相対的に、閃光ユニット１０３が使用位置の回動方向へ常に付勢される。
【００５９】
第２の延設部４００ｃは、屈曲部４００ｂの上端から回転軸部材２０１とは反対の方向に延設され、さらにその先端である接続部４００ｄが発光部導電体２０４の接続部２０４ａに接触して電気的に接続されている。
【００６０】
第１の実施の形態と同様に、閃光ユニット保持部材１２０に外装部材１２１を取り付けたとき、外装部材１２１に設けられた嵌合リブ１２１ａ（図５（ａ））が嵌合溝Ｃに嵌合されて、閃光ユニット保持部材１２０と外装部材１２１との位置が規制される。それと共に、第２の延設部４００ｃの接続部４００ｄに近い部分を嵌合リブ１２１ａの先端が押圧するので、接続部４００ｄが接続部２０４ａに押し付けられる。接続部４００ｄが接続部２０４ａに弾性的に接触することで、発光部導電体２０４と弾性部材４００とが常時安定的に、電気的に接続される。
【００６１】
本実施の形態では、閃光光学部品１２２と閃光ユニット保持部材１２０及び外装部材１２１との隙間から侵入した静電気は、まず、上記隙間から最も近い導体である発光部導電体２０４へ流れる。そして、発光部導電体２０４の接続部２０４ａを通じて接続部４００ｄから弾性部材４００へ流れる。弾性部材４００に流れた静電気は、回転軸部材２０１へ流れる。回転軸部材２０１へ流れた静電気のグランドへの流れ方は第１の実施の形態で説明したのと同様である。
【００６２】
本実施の形態によれば、発光部導電体２０４を、弾性部材４００等を接続部材としてカメラ本体１００のグランドに電気的に接続した。これにより、閃光光学部品１２２に印加された静電気の対策や基板のレイアウトの制約回避に関し、第１の実施の形態と同様の効果を奏することができる。
【００６３】
また、ポップアップ用バネである弾性部材４００に電気接続機能を兼ねさせるだけでなく、中継導電体２０５を廃止して弾性部材４００だけで発光部導電体２０４と回転軸部材２０１とを電気的に接続したので、部品点数の増加抑制に一層有利となる。
【００６４】
しかも、接続部２０４ａに接触する接続部４００ｄは、弾性部材４００において被駆動部１３３を駆動する位置（作用点）よりも回転軸部材２０１から遠い側の部分であるので、被駆動部１３３の駆動に影響を与えることなく電気的接続を確保することができる。
【００６５】
なお、上記各実施の形態において、発光部に印加された静電気を撮像装置の本体のグランドに落とすという観点からは、閃光ユニット１０３は必ずしもポップアップ式に限られない。
【００６６】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００６７】
１００  カメラ本体
１０３  閃光ユニット
１２２  閃光光学部品
１３３  被駆動部
１３４  ビス部
２０２、４００  弾性部材
２０４  発光部導電体
２０５  中継導電体
４００ｄ  接続部
【図１】
2013142788.tif 000003
【図２】
2013142788.tif 000004
【図３】
2013142788.tif 000005
【図４】
2013142788.tif 000006
【図５】
2013142788.tif 000007
【図６】
2013142788.tif 000008